(57)【要約】【課題】回胴式遊技機において液晶表示画面とリール窓（回胴表示部）とを隣接させて配置することを可能とするリールユニット、および、液晶表示画面とリール窓（回胴表示部）との間の距離が従来よりも短くされた回胴式遊技機を提供する。【解決手段】１以上のリール２０及び該１以上のリール２０を回転可能に支持するリールサイドフレーム３４を有する回転表示体１２と、開口部１４Ａを有し、該開口部１４Ａを通して、１以上の前記回転表示体１２を内側に収納するリールハウジング１４と、を備えたリールユニット１０であって、前記リールハウジング１４内側において前記開口部１４Ａに対する奥面に固定具５４が設けられ、該固定具５４により前記回転表示体１２の前記リールサイドフレーム３４が前記リールハウジング１４に着脱可能に固定されるようにする。【選択図】図４
2009207556.tif 000002
【特許請求の範囲】
【請求項１】
１以上のリール及び該１以上のリールを回転可能に支持するリールサイドフレームを有する回転表示体と、開口部を有し、該開口部を通して、１以上の前記回転表示体を内側に収納するリールハウジングと、を備えたリールユニットであって、
前記リールハウジング内側において前記開口部に対する奥面に固定具が設けられ、該固定具により前記回転表示体の前記リールサイドフレームが前記リールハウジングに着脱可能に固定されることを特徴とするリールユニット。
【請求項２】
前記固定具以外に、前記リールサイドフレームにサイドフレーム側固定手段が設けられているとともに、前記リールハウジングに取り付けられたハウジング側固定手段が前記リールハウジング内側において前記開口部よりも奥の位置に設けられており、該サイドフレーム側固定手段と該ハウジング側固定手段とにより、前記回転表示体の前記リールサイドフレームが前記リールハウジングに着脱可能に固定されることを特徴とする請求項１に記載のリールユニット。
【請求項３】
請求項１または２に記載のリールユニットを備えたことを特徴とする回胴式遊技機。
【発明の詳細な説明】
【技術分野】
【０００１】
本発明は、スロットマシンやパチンコ機等の回胴式遊技機に用いられるリールユニット（回胴表示ユニット）およびリールユニットを備えた回胴式遊技機に関する。
【背景技術】
【０００２】
従来のリールユニットとしては、ドラムタイプのものやベルトタイプのものが知られている。ドラムタイプのリールユニットは、無端帯状のリールシート（図柄表示体）が外周に巻き付けられたリールと、該リールを支持するリールサイドフレームと、を有してなる回転表示体がリールハウジング（収納ケース）内に複数備えられて構成されており、ぞれぞれの回転表示体のリールがステップモータで駆動されて、リールシートが回転する。ベルトタイプのリールユニットは、無端帯状のリールシートが巻き掛けわたされた駆動輪（駆動リール）および従動輪（従動リール）と、該駆動輪（駆動リール）および従動輪（従動リール）を支持するリールサイドフレームと、を有してなる回転表示体がリールハウジング内に複数備えられて構成されており、ぞれぞれの回転表示体の駆動輪（駆動リール）がステップモータで駆動されてリールシートが回転する。
【０００３】
どちらのタイプのリールユニットも、複数の回転表示体がリールハウジング内に備えられて構成されている。そして、このリールユニット全体がスロットマシンやパチンコ機等の遊技機に収納されて、回胴式遊技機が構成されている。
【０００４】
一方、モータの故障やバックライトの交換といったメンテナンスに対応できるようにするために、回転表示体は、それぞれ、リールユニットから着脱できるようになっている。具体的には、例えば図１１、図１２（特許文献１の図１３、図１４）に示すリールユニット１００、回転表示体１０２のように、リール１０４を支持するリールサイドフレーム１０６に設けられたナイラッチ（登録商標）１０８等のワンタッチ式の固定具により、リールサイドフレーム１０６をリールハウジング１１０の開口部側の前面上部で固定できるとともに、その固定を解除できるようになっている。そして、このナイラッチ（登録商標）１０８等のワンタッチ式の固定具を用いて、リールサイドフレーム１０６をリールハウジング１１０から着脱することにより、回転表示体１０２を、リールユニット１００から着脱できるようになっている。
【０００５】
【特許文献１】特開２００４−１５４１９１号公報（図１３、図１４）
【発明の開示】
【発明が解決しようとする課題】
【０００６】
しかしながら、近年、演出の一環として、リール窓（回転表示部）の上部に設けられる液晶表示画面の前面を遮蔽する開閉扉やシャッターが設けられた回胴式遊技機が見受けられるようになってきた。このような回胴式遊技機においては、液晶表示画面の前面を遮蔽する開閉扉やシャッター等の機構部を収めるスペースを十分に確保することが求められるが、従来のように、ナイラッチ（登録商標）１０８等のワンタッチ式の固定具により、リールサイドフレーム１０６をリールハウジング１１０の開口部側の前面上部で固定して、回転表示体１０２をリールハウジング１１０に取り付ける機構のリールユニット１００を用いた回胴式遊技機では、ナイラッチ（登録商標）１０８等のワンタッチ式の固定具に液晶表示画面の下のスペースを取られてしまい、前記スペースを十分に確保することが困難であった。
【０００７】
また、液晶表示画面の前面を遮蔽する開閉扉やシャッター等の機構を設けない場合であっても、遊技者が頻繁に首を上下動させることなく液晶表示画面と回胴表示部（リール窓）を見ることができるようにするために、液晶表示画面と回胴表示部（リール窓）との間の距離はできるだけ短い方が望ましい。しかしながら、従来のように、ナイラッチ（登録商標）１０８等のワンタッチ式の固定具により、リールサイドフレーム１０６をリールハウジング１１０の開口部側の前面上部で固定して、回転表示体１０２をリールハウジング１１０に取り付ける機構のリールユニット１００を用いた回胴式遊技機では、ナイラッチ（登録商標）１０８等のワンタッチ式の固定具があるため、液晶表示画面とリール窓（回胴表示部）とを隣接させて配置することができない。このため、遊技者は、離間した液晶表示画面とリール窓（回胴表示部）を見ることとなり、頻繁に視線を上下しなければならず、大きな負担が生じるという問題点もあった。
【０００８】
本発明は、かかる問題点に鑑みてなされたものであって、回胴式遊技機において液晶表示画面とリール窓（回胴表示部）とを隣接させて配置することを可能とするリールユニット、および、液晶表示画面とリール窓（回胴表示部）との間の距離が従来よりも短くされた回胴式遊技機を提供することを課題とする。
【課題を解決するための手段】
【０００９】
本発明は、下記のリールユニットおよび回胴式遊技機により前記課題を解決したものである。
【００１０】
即ち、本発明に係るリールユニットは、１以上のリール及び該１以上のリールを回転可能に支持するリールサイドフレームを有する回転表示体と、開口部を有し、該開口部を通して、１以上の前記回転表示体を内側に収納するリールハウジングと、を備えたリールユニットであって、前記リールハウジング内側において前記開口部に対する奥面に固定具が設けられ、該固定具により前記回転表示体の前記リールサイドフレームが前記リールハウジングに着脱可能に固定されることを特徴とする。
【００１１】
前記固定具以外に、前記リールサイドフレームにサイドフレーム側固定手段が設けられているとともに、前記リールハウジングに取り付けられたハウジング側固定手段が前記リールハウジング内側において前記開口部よりも奥の位置に設けられており、該サイドフレーム側固定手段と該ハウジング側固定手段とにより、前記回転表示体の前記リールサイドフレームが前記リールハウジングに着脱可能に固定されることが好ましい。
【００１２】
本発明に係る回胴式遊技機は、前記リールユニットを備えたことを特徴とする。
【発明の効果】
【００１３】
本発明によれば、リールハウジング内側の奥面に固定具が設けられ、該固定具により回転表示体のリールサイドフレームがリールハウジングに着脱可能に固定されるので、液晶表示ユニットの液晶表示画面と、回転表示体の図柄を表示するリール窓（回胴表示部）とを、隣接させて配置することができる。この結果、回動式遊技機において、液晶表示画面とリール窓（回胴表示部）との間の距離を従来よりも短くすることができる。
【００１４】
また、前記固定具以外に、前記リールサイドフレームにサイドフレーム側固定手段を設けるとともに、前記リールハウジングに取り付けられたハウジング側固定手段を前記リールハウジング内側において開口部よりも奥の位置に設けた場合には、前記固定具のロックが不意に解除してしまっても、回転表示体がリールハウジングから脱落しない。
【発明を実施するための最良の形態】
【００１５】
以下、図面を参照して、本発明に係る実施形態について詳細に説明する。
【００１６】
図１は、本発明の実施形態に係る回胴式遊技機１を示す正面図であり、図２はこの回胴式遊技機１に用いられる、本発明の実施形態に係るリールユニット１０を示す外観斜視図である。回胴式遊技機１は、中央部よりもやや上寄りにリール窓（回胴表示部）７０が配置されており、リールユニット１０が組み込まれると、リール窓（回胴表示部）７０を通して、リールユニット１０の回転表示体１２の図柄を見ることができるようになっている。リール窓（回胴表示部）７０の上方には、液晶表示ユニット７２の液晶表示画面７２Ａが配置されており、遊技の際の演出がなされるようになっている。
【００１７】
リールユニット１０は、３つの回転表示体１２と、これら３つの回転表示体１２を収容保持するリールハウジング１４と、を主要な構成要素として有してなる。リールハウジング１４には、３つの回転表示体１２以外に、リール中継基板１６やリール制御基板１８等が取り付け固定されている。また、リールハウジング１４の正面部は全面が開口して開口部１４Ａ（図４参照）となっており、この開口部１４Ａを通して、回転表示体１２をリールハウジング１４内側に収納することができるようになっている。また、リールユニット１０が回胴式遊技機１に組み込まれた後、遊技者は、開口部１４Ａおよびリール窓（回胴表示部）７０を通して、リールユニット１０の回転表示体１２の図柄を見ることができる。
【００１８】
図３は、回転表示体１２の分解図であり、図４は、リールハウジング１４の内側（回転表示体１２の収納部）を示す斜視図である。
【００１９】
図３に示すように、回転表示体１２は、リール２０と、リール２０の円筒外周面に貼り付けられ、多種の図柄が描かれているリールシート２２と、リール２０を回転駆動させるリールモータ２４と、リール２０の回転検出を行う回転検出センサ２６と、回転検出センサ２６を保持する検出センサブラケット２８と、リールシート２２の円筒内周面を照らし出すバックライト３０と、バックライト３０を保持するバックライトケース３２と、リールサイドフレーム３４と、を有してなる。
【００２０】
リールサイドフレーム３４は、リール２０、リールモータ２４、検出センサブラケット２８、バックライトケース３２を所定の位置に支持するとともに、回転表示体１２をリールハウジング１４内の所定の位置に取り付け固定する役割を有する板状体である。リールサイドフレーム３４は、上端部に嵌合部３４Ａ、下端部に嵌合部３４Ｂが設けられており、嵌合部３４Ａはリールハウジング１４内側の上部に設けられたガイドレール５０（図４参照）と嵌合し、嵌合部３４Ｂはリールハウジング１４の底板の上面に設けられたガイドレール５２（図４参照）と嵌合する。嵌合部３４Ａ、３４Ｂが、ガイドレール５０、５２に嵌ることにより、回転表示体１２の位置が規制される。
【００２１】
また、リールサイドフレーム３４の後端部（リールハウジング１４に差し込まれる方向の端部）には、噛み込み凸部４０が設けられている。噛み込み凸部４０は、リールハウジング１４内側の奥面に設けられたプッシュ式ラッチ５４に噛み込んでロックされ、固定される。プッシュ式ラッチ５４は、回転表示体１２をリールハウジング１４に固定するための固定具であり、噛み込み凸部４０が押し込まれると噛み込み凸部４０をロックして固定するが、ロック後さらに噛み込み凸部４０が押し込まれるとロックを解除し、噛み込み凸部４０が外れるような機構となっている。
【００２２】
リールサイドフレーム３４の嵌合部３４Ａ、３４Ｂを、ガイドレール５０、５２に嵌合させ、リールサイドフレーム３４をガイドレール５０、５２に沿ってリールハウジング１４の奥へ押し込み、噛み込み凸部４０をプッシュ式ラッチ５４に噛み込ませることにより、回転表示体１２はリールハウジング１４に固定される。
【００２３】
また、リールサイドフレーム３４の後端部（リールハウジング１４に差し込まれる方向の端部）において、噛み込み凸部４０の上下には、それぞれ位置決め用ボス４２が設けられている。また、リールハウジング１４内側の奥面において、プッシュ式ラッチ５４の上下には、それぞれ位置決め用ボス穴５６（図４参照）が設けられている。噛み込み凸部４０がプッシュ式ラッチ５４に噛み込んでロックされる際、上下２つの位置決め用ボス４２が、上下２つの位置決め用ボス穴５６内に嵌入することにより、リールハウジング１４に対する回転表示体１２の位置が決められる。
【００２４】
ここで、プッシュ式ラッチ５４は、前述のように、ロック状態からさらに噛み込み凸部４０が押し込まれると、ロック状態が解除される構造となっている。このため、不意の衝撃力等が回転表示体１２に加わってもロック状態が解除されないようにしておくことが必要であり、ロック状態からさらに噛み込み凸部４０が押し込まれることに抗する付勢力を回転表示体１２に加えておくことが必要である。プッシュ式ラッチ５４の内部にも、このような付勢力を回転表示体１２に加える付勢手段（図示せず）が設けられているが、この付勢手段だけでは回転表示体１２に加える付勢力が小さく、ある程度以上の大きさの不意の衝撃力等が回転表示体１２に加わると、プッシュ式ラッチ５４のロックが解除されてしまうおそれがある。そこで、位置決め用ボス穴５６の内部には、回転表示体１２をリールハウジング１４の開口部１４Ａ方向に押し出すように付勢するボス穴ばね６４が収納されている。
【００２５】
また、嵌合部３４Ａの上面には、抜け止めフック部（フレーム側固定手段）４４が設けられている。この抜け止めフック部４４をリールハウジング１４のロックレバー（ハウジング側固定手段）５８と係合させることにより、回転表示体１２をリールハウジング１４に固定することができる。ロックレバー５８は、リールハウジング１４の内側の上部に固定されたロックレバーホルダー６０の内部にスライド可能に収納されている。ロックレバー５８は、ロックレバーばね６２（図５〜図７参照）により、ガイドレール５０を塞ぐ方向に常に付勢されており、この付勢力によって抜け止めフック部４４はロックレバー５８にロックされる。
【００２６】
噛み込み凸部４０がプッシュ式ラッチ５４にロックされた後、回転表示体１２をさらに押し込む力が不意に作用してロックが解除され、噛み込み凸部４０がプッシュ式ラッチ５４から外れても、抜け止めフック部４４をロックレバー５８と係合させておくことにより、回転表示体１２がリールハウジング１４内から脱落することが防止される。プッシュ式ラッチ５４を第１の固定手段とした場合、抜け止めフック部４４およびロックレバー５８からなる係合手段は第２の固定手段と言うことができる。
【００２７】
次に、回転表示体１２をリールハウジング１４に取り付ける際の動作について説明する。図５〜図７は、真ん中の回転表示体１２をリールハウジング１４に取り付けている状況を示した図であり、ロックレバー５８を含むようにリールハウジング１４の上部を水平面で切断した断面を示す上断面図である。図５は、抜け止めフック部４４がロックレバー５８に最初に接触した状態を示し、図６は、抜け止めフック部４４がロックレバー５８に係合する直前の状態を示し、図７は、抜け止めフック部４４がロックレバー５８に係合した後の状態を示す。図８は、回転表示体１２をリールハウジング１４に取り付ける直前（噛み込み凸部４０がプッシュ式ラッチ５４に噛み込む直前）の状態を示す、リールハウジング１４内側の奥面の横断面図（側方から見た断面図）であり、図９は、回転表示体１２をリールハウジング１４に取り付けた後（噛み込み凸部４０がプッシュ式ラッチ５４に噛み込んだ後）の状態を示す、リールハウジング１４内側の奥面の横断面図（側方から見た断面図）である。図８、図９において、右側がリールハウジング１４内側の奥面となっている。
【００２８】
リールハウジング１４内側の上部および下部に設けられたガイドレール５０、５２に沿って、回転表示体１２をリールハウジング１４内に押し込んでいくと、まず、リールサイドフレーム３４の上側の嵌合部３４Ａの上面に設けられた抜け止めフック部４４がロックレバー５８に接触する（図５参照）。抜け止めフック部４４およびロックレバー５８の先端部は、図５〜図７に示すように、それぞれ緩やかな円弧部となっており、回転表示体１２をリールハウジング１４内に押し込んでいくと、ロックレバーばね６２によりガイドレール５０を塞ぐ方向に付勢されているロックレバー５８を、抜け止めフック部４４が押しのけるようにして（図６参照）、回転表示体１２がリールハウジング１４内に収納される（図７参照）。
【００２９】
このとき、同時に、リールサイドフレーム３４の後端面に設けられた上下２つの位置決め用ボス４２が、リールハウジング１４内側の奥面に設けられた位置決め用ボス穴５６に嵌合していく。
【００３０】
前述のように、位置決め用ボス穴５６の内部には、回転表示体１２をリールハウジング１４の開口部１４Ａの方向へ押し出すように付勢するボス穴ばね６４が収納されており、この付勢力に抗してさらに回転表示体１２をリールハウジング１４の奥面まで挿入すると、まず、リールサイドフレーム３４の上側の嵌合部３４Ａの上面に設けられた抜け止めフック部４４がロックレバー５８を乗り越えてロックレバー５８と係合し（図５〜図７参照）、回転表示体１２（リールサイドフレーム３４）は、ロックレバーばね６２の付勢力によりガイドレール５０、５２の側面へと片寄せされる。さらに回転表示体１２をリールハウジング１４の奥へと押し込むと、リールサイドフレーム３４の後端部（リールハウジング１４に差し込まれる方向の端部）に設けられた噛み込み凸部４０は、図９に示すように、リールハウジング１４内側の奥面に嵌め込まれたプッシュ式ラッチ５４の噛み込み爪部５４Ａによりフックされ、回転表示体１２はリールハウジング１４から抜けなくなる。
【００３１】
プッシュ式ラッチ５４の噛み込み爪部５４Ａにより噛み込み凸部４０がロックされた状態（図９参照）から、プッシュ式ラッチ５４の内部の付勢手段（図示せず）および位置決め用ボス穴５６の内部に設けられたボス穴ばね６４の付勢力に抗して、さらに回転表示体１２をリールハウジング１４の最奥部まで押し込むと、プッシュ式ラッチ５４の噛み込み爪部５４Ａは解除される。ただし、この状態では、まだ抜け止めフック部４４がロックレバー５８と係合しているため、回転表示体１２はリールハウジング１４から外れない。このように、本発明の実施形態に係る回動式遊技機１およびリールユニット１０においては、抜け止めフック部４４およびロックレバー５８からなる係合手段（第２の固定手段）が設けられているため、プッシュ式ラッチ５４のロックが不意に解除されても回転表示体１２は脱落せず、本発明の実施形態に係る回動式遊技機１およびリールユニット１０の安全性は高い。
【００３２】
プッシュ式ラッチ５４のロック解除後に、ロックレバーばね６２の付勢力に抗して回転表示体１２をリールハウジング１４の開口部１４Ａ方向に引っ張り、抜け止めフック部４４とロックレバー５８との係合状態を解除することにより、回転表示体１２はリールハウジング１４から取り外し可能となる。
【００３３】
以上説明した本発明の実施形態に係る回動式遊技機１およびリールユニット１０においては、プッシュ式ラッチ５４をリールハウジング１４内側の奥面に設け、噛み込み凸部４０をリールサイドフレーム３４の後端部（リールハウジング１４に差し込まれる方向の端部）に設けたが、この配置関係を逆にして、プッシュ式ラッチ５４をリールサイドフレーム３４の後端部（リールハウジング１４に差し込まれる方向の端部）に設け、噛み込み凸部４０をリールハウジング１４内側の奥面に設けてもよい。また、リールハウジング１４内側の奥面で回転表示体１２のリールサイドフレーム３４を着脱可能に固定できるのであれば、用いる固定具はプッシュ式ラッチ５４に限定されない。
【００３４】
また、リールユニット１０においては、前述のように、プッシュ式ラッチ５４によりリールサイドフレーム３４をリールハウジング１４に着脱可能に固定できるようになっている以外に、第２の固定手段として、リールサイドフレーム３４の上側の嵌合部３４Ａの上面に設けられた抜け止めフック部（フレーム側固定手段）４４とロックレバー（ハウジング側固定手段）５８が設けられており、これらが係合することにより、リールサイドフレーム３４をリールハウジング１４に着脱可能に固定できるようになっている。
【００３５】
この第２の固定手段もこの機構に限られず、ハウジング側固定手段がリールハウジング１４内側においてリールハウジング１４の開口部１４Ａよりも奥の位置に設けられていれば、他の機構であってもよい。
【００３６】
以上説明したように、本発明の実施形態に係る回動式遊技機１およびリールユニット１０においては、回転表示体１２をリールハウジング１４に固定する固定具（プッシュ式ラッチ５４）が、リールハウジング１４内側の奥面に設けられている。このため、従来のナイラッチ（登録商標）１０６等のワンタッチ式の固定具により、回転表示体１１０をリールハウジング１０８に取り付け固定していた場合のように、回転表示体を固定する固定具がリールハウジングの開口部側の前面上部に位置することがない。このため、図１０に示すように、リールユニット１０を備えた回動式遊技機１においては、液晶表示ユニット７２の液晶表示画面７２Ａと、回転表示体１２の図柄を表示するリール窓（回胴表示部）７０とを、隣接させて配置することができる。この結果、回動式遊技機１において、液晶表示画面７２Ａとリール窓（回胴表示部）７０との間の距離を従来よりも短くすることができる。
【図面の簡単な説明】
【００３７】
【図１】本発明の実施形態に係る回胴式遊技機を示す正面図
【図２】前記回胴式遊技機に用いられるリールユニットを示す外観斜視図
【図３】前記リールユニットの回転表示体の分解図
【図４】前記リールユニットのリールハウジングの内側（回転表示体の収納部）を示す斜視図
【図５】前記リールユニットにおいて、回転表示体をリールハウジングに取り付けている状況を示す上断面図（係合前）
【図６】前記リールユニットにおいて、回転表示体をリールハウジングに取り付けている状況を示す上断面図（係合の途中）
【図７】前記リールユニットにおいて、回転表示体をリールハウジングに取り付けている状況を示す上断面図（係合後）
【図８】前記リールユニットのリールハウジング内側の奥面の横断面図（ロック前）
【図９】前記リールユニットのリールハウジング内側の奥面の横断面図（ロック後）
【図１０】本発明の実施形態に係る回動式遊技機の上部の横断面図
【図１１】従来のリールユニットを示す斜視図
【図１２】従来のリールユニットの回転表示体の分解図
【符号の説明】
【００３８】
１…回胴式遊技機
１０…リールユニット
１２…回転表示体
１４…リールハウジング
１６…リール中継基板
１８…リール制御基板
２０…リール
２２…リールシート
２４…モータ
２６…回転検出センサ
２８…検出センサブラケット
３０…バックライト
３２…バックライトケース
３４…リールサイドフレーム
３４Ａ、３４Ｂ…嵌合部
４０…噛み込み凸部
４２…位置決め用ボス
４４…抜け止めフック部
５０、５２…ガイドレール
５４…プッシュ式ラッチ
５６…位置決め用ボス穴
５８…ロックレバー
６０…ロックレバーホルダー
６２…ロックレバーばね
６４…ボス穴ばね
７０…リール窓（回胴表示部）
７２…液晶表示ユニット
７２Ａ…液晶表示画面
【図１】
2009207556.tif 000003
【図２】
2009207556.tif 000004
【図３】
2009207556.tif 000005
【図４】
2009207556.tif 000006
【図５】
2009207556.tif 000007
【図６】
2009207556.tif 000008
【図７】
2009207556.tif 000009
【図８】
2009207556.tif 000010
【図９】
2009207556.tif 000011
【図１０】
2009207556.tif 000012
【図１１】
2009207556.tif 000013
【図１２】
2009207556.tif 000014